(57)【要約】【課題】入力されるカラーバー信号の種類に関係無く、入力画像の信号レベルを適切なレベルに補正する。【解決手段】本発明の画像表示装置１０は、表示部１４と、画像処理部１３と、画像調整部１５とを備える構成とする。画像処理部１３は、入力画像の信号がカラーバー信号であるか否かの判別及びカラーバー信号の種類の判別が可能な入力画像内におけるサンプリングポイントの画像データを入力画像の信号から抽出する。そして、画像調整部１５は、抽出されたサンプリングポイントの画像データに基づいて、入力画像の信号がカラーバー信号であるか否かの判別、及び、カラーバー信号の種類の判別を行う。さらに、画像調整部１５は、カラーバー信号の種類の判別結果に基づいて入力画像の信号レベルの調整制御を行う。【選択図】図２
2011223216.tif 000002
【特許請求の範囲】
【請求項１】
入力画像を表示する表示部と、
前記入力画像の信号がカラーバー信号であるか否かの判別及びカラーバー信号の種類の判別が可能な前記入力画像内におけるサンプリングポイントの画像データを前記入力画像の信号から抽出する画像処理部と、
前記画像処理部で抽出した前記サンプリングポイントの前記画像データに基づいて前記入力画像の信号がカラーバー信号であるか否かを判別する処理、前記サンプリングポイントの前記画像データに基づいてカラーバー信号の種類を判別する処理、及び、前記カラーバー信号の種類の判別結果に基づいて前記入力画像の信号レベルの調整制御を行う画像調整部と
を備える画像表示装置。
【請求項２】
前記サンプリングポイントが複数設定されており、その一部のサンプリングポイントが、前記カラーバー信号の種類に関係なく同じ色領域に位置するように設定されており、その他のサンプリングポイントが、前記カラーバー信号の種類に応じて異なる色領域に位置するように設定されている
請求項１に記載の画像表示装置。
【請求項３】
前記サンプリングポイントが設定されている各色領域に、複数の前記サンプリングポイントが配置されている
請求項２に記載の画像表示装置。
【請求項４】
前記画像調整部が、前記画像処理部で前記サンプリングポイントの画像データを抽出する前に、前記入力画像の画角を判別する処理を行う
請求項１に記載の画像表示装置。
【請求項５】
さらに、複数種のフォーマットのカラーバー信号における前記サンプリングポイントの参照画像データが予め記憶された記憶部を備え、
前記画像調整部は、前記画像処理部で抽出される前記サンプリングポイントにおける前記画像データと、それに対応する前記記憶部に記憶された参照画像データとを比較し、その比較結果に基づいて前記入力画像の信号レベルの調整制御を行う
請求項１に記載の画像表示装置。
【請求項６】
前記画像調整部で判別する前記カラーバー信号のフォーマットが、フルフィールドフォーマット、マルチフォーマット及びＳＭＰＴＥフォーマットである
請求項１に記載の画像表示装置。
【請求項７】
入力画像の信号がカラーバー信号であるか否かの判別及びカラーバー信号の種類の判別が可能な該入力画像内におけるサンプリングポイントの画像データを該入力画像の信号から抽出するステップと、
前記抽出した前記サンプリングポイントの前記画像データに基づいて、前記入力画像の信号がカラーバー信号であるか否かを判別するステップと、
前記入力画像の信号がカラーバー信号である場合に、前記抽出した前記サンプリングポイントの前記画像データに基づいて前記カラーバー信号の種類を判別するステップと、
前記カラーバー信号の種類の判別結果に基づいて前記入力画像の信号レベルを所定レベルに調整するステップと
を含む画像調整方法。
【発明の詳細な説明】
【技術分野】
【０００１】
本発明は、画像表示装置及び画像調整方法に関し、より詳細には、外部装置から入力される画像信号を表示する例えばビューファインダー等の画像表示装置及びその装置における画像調整方法に関する。
【背景技術】
【０００２】
従来、例えば報道分野等では、ビデオカメラから伝送される例えばカラーの映像信号等に対して適正なカラー調整等の補正処理を施すための種々の技術が提案されている。その画像調整処理の手法の一つとして、カラーバー信号を用いる手法が提案されている（例えば特許文献１参照）。
【０００３】
特許文献１には、例えば、遠隔地に設置されたカメラにより撮影された映像信号がマイクロ波回線を介して放送局に伝送された際にその映像信号を、カラーバー信号を用いて補正する技術が提案されている。
【０００４】
特許文献１で提案されている手法では、入力信号がカラーバー信号であるか否かを判別し、入力信号がカラーバー信号である場合に補正処理を行っている。なお、特許文献１では、カラーバー信号として、フルフィールドフォーマットのカラーバー信号が用いられている。
【先行技術文献】
【特許文献】
【０００５】
【特許文献１】特開平０５−１３７０２５号公報
【発明の概要】
【発明が解決しようとする課題】
【０００６】
ところで、ビデオカメラで撮影している映像を確認するための画像表示装置の一つとして、ビューファインダーがある。このビューファインダーを用いる主な目的は、例えば、撮影映像の画角決定、フォーカス合わせの補助、ビデオカメラの各種設定の確認等である。このようなビューファインダーにおいても、ビデオカメラから入力される映像信号の例えば輝度レベル等がビデオカメラ毎に多少ばらつくので、このばらつきを補正する必要がある。この補正手法として、上記特許文献１に記載のカラーバー信号を用いる手法を適用することもできるが、その場合、次のような問題がある。
【０００７】
上記特許文献１に記載の補正手法は、フルフィールドフォーマットのカラーバー信号のみを対象としている。しかしながら、実際の現場等で使用されるビデオカメラのフォーマットには、フルフィールドフォーマット以外にも、例えばマルチフォーマットやＳＭＰＴＥ（Society of Motion Picture and Television Engineers）フォーマット等がある。それゆえ、上記特許文献１の手法を用いて画像補正を行う場合、フルフィールドフォーマット以外のフォーマットのカラーバー信号が入力された際には、そのカラーバー信号をフルフィールドフォーマットに設定し直す処理が必要になる。
【０００８】
本発明は、上記状況に鑑みなされたものであり、本発明の目的は、入力されるカラーバー信号の種類に関係無く、入力画像を適切な信号レベルに補正することのできる画像表示装置及び画像調整方法を提供することである。
【課題を解決するための手段】
【０００９】
上記課題を解決するために、本発明の画像表示装置は、表示部と、画像処理部と、画像調整部とを備える構成とし、各部の機能を次のようにする。表示部は、入力画像を表示する。画像処理部は、入力画像の信号がカラーバー信号であるか否かの判別及びカラーバー信号の種類の判別が可能な入力画像内におけるサンプリングポイントの画像データを入力画像の信号から抽出する。そして、画像調整部は、画像処理部で抽出したサンプリングポイントの画像データに基づいて入力画像の信号がカラーバー信号であるか否かを判別する処理、及び、サンプリングポイントの画像データに基づいてカラーバー信号の種類を判別する処理を行う。さらに、画像調整部は、カラーバー信号の種類の判別結果に基づいて入力画像の信号レベルの調整制御を行う。
【００１０】
また、本発明の画像調整方法は、次の手順で行う。まず、入力画像の信号がカラーバー信号であるか否かの判別及びカラーバー信号の種類の判別が可能な入力画像内におけるサンプリングポイントの画像データを入力画像の信号から抽出する。次いで、抽出したサンプリングポイントの画像データに基づいて、入力画像の信号がカラーバー信号であるか否かを判別する。次いで、入力画像の信号がカラーバー信号である場合に、抽出したサンプリングポイントの画像データに基づいてカラーバー信号の種類を判別する。そして、カラーバー信号の種類の判別結果に基づいて入力画像の信号レベルを所定レベルに調整する。
【発明の効果】
【００１１】
上述のように、本発明では、入力画像内の所定のサンプリングポイントにおける画像データを入力画像の信号から抽出し、その抽出した画像データに基づいて、入力画像の信号がカラーバー信号であるか否かの判定、及び、カラーバー画像の種類の判別を行う。そして、本発明では、カラーバー信号の判別結果に基づいて、入力画像の信号レベルを適正なレベルに調整する。それゆえ、本発明によれば、入力されるカラーバー信号の種類に関係無く、入力画像に対して適切な補正を行うことができる。
【図面の簡単な説明】
【００１２】
【図１】本発明の一実施形態に係る画像表示装置を用いた画像表示システムの概略構成図である。
【図２】本発明の一実施形態に係る画像表示装置のブロック構成図である。
【図３】ＨＤ方式のフルフィールドフォーマットのカラーバー信号の表示例である。
【図４】ＨＤ方式のマルチフォーマットのカラーバー信号の表示例である。
【図５】ＨＤ方式のＳＭＰＴＥフォーマットのカラーバー信号の表示例である。
【図６】ＳＤ方式のフルフィールドフォーマットのカラーバー信号の表示例である。
【図７】本発明の一実施形態に係る画像表示装置における表示画像の調整方法の手順を示すフローチャートである。
【図８】本発明の一実施形態に係る画像表示装置におけるカラーバー画像の判別手法の手順を示すフローチャートである。
【発明を実施するための形態】
【００１３】
以下に、本発明の実施形態に係る画像表示装置及び画像調整方法の一例を、図面を参照しながら下記の順で説明する。なお、本実施形態では、画像表示装置として、ビューファインダーを例に挙げ説明するが、本発明はこれに限定されない。
１．画像表示システムの構成例
２．カラーバー画像の構成例
３．画像調整手法の一例
【００１４】
＜１．画像表示システムの構成例＞
［画像表示システムの構成］
図１に、本発明の一実施形態に係る画像表示システムの概略構成を示す。画像表示システム１００は、画像表示装置１０（ビューファインダー）と、ビデオカメラ２０と、記憶装置３０とで構成される。
【００１５】
図１に示す例では、ビデオカメラ２０は、報道用ビデオカメラとする。また、記憶装置３０は、本線ケーブル２１を介してビデオカメラ２０に接続され、ビデオカメラ２０で撮影された撮像データは、記憶装置３０に記憶される。一方、画像表示装置１０は、ビューファインダー用ケーブル２２を介して、ビデオカメラ２０に接続される。そして、ビューファインダー用の画像データは、ビューファインダー用ケーブル２２を介して、ビデオカメラ２０から画像表示装置１０に入力される。
【００１６】
［画像表示装置の構成］
図２に、本実施形態の画像表示装置１０の概略ブロック構成を示す。画像表示装置１０は、ビデオデコーダ１１と、スケーリング処理部１２と、画像処理部１３と、表示パネル１４（表示部）と、ＣＰＵ（Central Processing Unit）１５と、記憶部１６とを備える。
【００１７】
ビデオデコーダ１１は、その入力端子がビューファインダー用ケーブル２２を介してビデオカメラ２０に接続され、ビデオカメラ２０から例えばコンポジット信号、コンポーネント信号等のアナログ映像信号が入力される。ビデオデコーダ１１は、入力されたアナログ映像信号を、デジタルの輝度／色差信号に変換し、その変換したデジタル画像信号をスケーリング処理部１２に出力する。
【００１８】
スケーリング処理部１２は、ビデオデコーダ１１から入力されたデジタル画像信号を所定サイズの画像信号に変換するとともに、デジタルの輝度／色差信号をＲ（Red）Ｇ（Green）Ｂ（Blue）信号に変換する。そして、スケーリング処理部１２は、ＲＧＢ信号に変換された画像信号を画像処理部１３に出力する。
【００１９】
画像処理部１３は、例えばＦＰＧＡ（Field Programmable Gate Array）等で構成され、入力画像信号に対して種々の処理を施し、処理後の画像信号を表示パネル１４に出力する。また、本実施形態では、表示画像の色味等を調整する際、入力画像内（表示画面内）の所定サンプリングポイント（座標）における画像データ（ＲＧＢ値）を入力されたデジタル画像信号から抽出し、その抽出した信号をＣＰＵ１５（画像調整部）に出力する。
【００２０】
表示パネル１４は、例えば液晶ディスプレイ（ＬＣＤ）等で構成することができる。なお、本実施形態では、表示パネル１４の表示画面の画角を１６：９とし、サイズを８００×４５０の画素数とする。すなわち、この例の表示パネル１４の画角は、ＨＤ（High Definition）方式の映像信号に対応しており、ＨＤ方式の映像信号（以下、ＨＤ画像という）が入力された際には、画面全面に渡って画像が表示される。
【００２１】
なお、画像表示装置１０にＳＤ（Standard Definition）方式の映像信号（以下、ＳＤ画像という）が入力された場合には、その垂直方向のサイズをＨＤ方式のそれと同じサイズ（＝４５０画素）にして表示する。この場合、ＳＤ画像の水平方向のサイズ（６００画素）がＨＤ画像のそれ（８００画素）より小さくなるので、ＳＤ画像の水平方向の両端にはそれぞれ、幅が１００画素の縁を設けて表示する。
【００２２】
ＣＰＵ１５は、図１には示さないが、画像表示装置１０全体の動作制御を行う。例えば、ＣＰＵ１５は、ビデオカメラ２０から入力された画像信号を表示パネル１４に表示する際に各部で行われる様々な処理動作を制御する。
【００２３】
すなわち、本実施形態では、入力画像の信号を補正する際の動作もＣＰＵ１５で制御する。この際、ＣＰＵ１５は、画像処理部１３で抽出された入力画像内の所定サンプリングポイントの画像データに基づいて、入力画像信号がカラーバー信号であるか否かを判別する。また、入力画像信号がカラーバー信号である場合には、ＣＰＵ１５は、画像処理部１３で抽出された所定サンプリングポイントの画像データ（ＲＧＢ値）に基づいて、カラーバー信号（画像）の種類を判別する。さらに、ＣＰＵ１５は、カラーバー信号の判別結果に基づいて、ビデオデコーダ１１の例えばゲイン、オフセット等を最適な値に調整し、入力画像の信号レベルを補正する。
【００２４】
また、本実施形態では、ＣＰＵ１５は、入力画像の画角を判別する。具体的には、入力画像がＳＤ画像であるかＨＤ画像であるかを判別する。
【００２５】
記憶部１６は、例えば不揮発性のメモリ等により構成され、種々のデータ及びプログラムが格納される。なお、本実施形態では、記憶部１６には、ＣＰＵ１５で入力画像信号を補正する際に、画像処理部１３で抽出されるカラーバー画像内の所定サンプリングポイントにおける画像データと比較する参照データ（参照画像データ）がカラーバー信号の種類毎に格納される。また、記憶部１６には、カラーバー信号の種類等の判別処理に必要なパラメータ（例えば輝度レベルの閾値等）が格納される。
【００２６】
＜２．カラーバー画像の構成例＞
次に、本実施形態で用いる各種カラーバー画像の構成を説明する。なお、ここでは、カラーバー画像のフォーマットとしては、フルフィールドフォーマット、マルチフォーマット及びＳＭＰＴＥフォーマットの３種類を用いた例を説明する。ただし、本発明はこれに限定されず、判別するカラーバー画像の種類は、画像表示装置１０の例えば用途等に応じて適宜設定される。
【００２７】
図３〜６に、表示パネル１４の表示画面１４ａに表示される種々のカラーバー画像の概略構成を示す。図３は、ＨＤ方式のフルフィールドフォーマットのカラーバー画像の概略構成図であり、図４は、ＨＤ方式のマルチフォーマットのカラーバー画像の概略構成図であり、そして、図５は、ＨＤ方式のＳＭＰＴＥフォーマットのカラーバー画像の概略構成図である。
【００２８】
また、図６は、表示パネル１４の表示画面１４ａに表示されるＳＤ方式のフルフィールドフォーマットのカラーバー画像の概略構成図である。ＳＤ方式のフルフィールドフォーマットのカラーバー画像の色領域の構成は、画角が異なること以外は、ＨＤ方式のそれと同様である。また、上述のように、本実施形態の表示パネル１４の表示画面１４ａの画角はＨＤ方式に対応しているので、ＳＤ方式のフルフィールドフォーマットのカラーバー画像が表示された際には、その画像の水平方向の両端に縁１４ｂが設けられる。
【００２９】
なお、ＳＤ方式のマルチフォーマット及びＳＭＰＴＥフォーマットのカラーバー画像の色領域の構成は、画角が異なること以外は、ＨＤ方式のそれらと同様である。それゆえ、ここでは、ＳＤ方式のフルフィールドフォーマットのカラーバー画像のみを示し、その他のＳＤ方式のカラーバー画像は図示しない。
【００３０】
また、図３〜６中の「Ｗ」は白色、「Ｙ」は黄色、「Ｃ」はシアン、「Ｇ」は緑色、「Ｍ」はマゼンダ、「Ｒ」は赤色、「Ｂｌｕ」は青色、「Ｂｌａ」は黒色、そして「ｇｒａｙ」はグレーを示す。なお、図４及び５中の各色の符号の前に示す「＊＊％」は、当該色の輝度値である。また、「Ｙ−Ｒａｍｐ」はランプ信号、「Ｉ」はＩ信号、そして「Ｑ」はＱ信号を示す。なお、図３〜６に示す各種カラーバー画像は、従来よく知られた構成であるので、ここでは、その詳細な説明は省略する。
【００３１】
本実施形態では、入力画像内において、カラーバー信号とそれ以外の画像信号との判別、及び、カラーバー信号の種類の判別が可能になる位置（サンプリングポイント）の画像データを、画像処理部１３で入力画像の信号から抽出する。本実施形態では、上記選択条件を考慮して、８つのサンプリングポイント（座標位置）を選択する。なお、画像補正時に用いる８つのサンプリングポイントの画像データ（ＲＧＢ値）と比較する参照データは、予め記憶部１６に、カラーバー信号の種類毎に記憶される。
【００３２】
また、本実施形態では、サンプリングポイントの座標の基点（［Ｈ（水平位置），Ｖ（垂直位置）］＝［０，０］）は、図３〜６に示すように、表示画面１４ａの左上の角部とする。より具体的には、フルフィールドフォーマットのカラーバー画像では、座標の基点は、図３及び６に示すように、「Ｗ」領域（白領域）に最も近い表示画面１４ａの２つの角部うち一方となる。マルチフォーマットのカラーバー画像では、図４に示すように、座標の基点は、「７５％Ｗ」領域（７５％白領域）に隣接する「４０％ｇｒａｙ」領域（４０％グレー領域）に最も近い表示画面１４ａの角部となる。また、ＳＭＰＴＥフォーマットのカラーバー画像では、図５に示すように、座標の基点は、「Ｙ」領域（黄領域）に隣接する「７５％Ｗ」領域（７５％白領域）に最も近い表示画面１４ａの角部となる。
【００３３】
入力画像がＨＤ画像である場合には、下記８つのサンプリングポイントＰＨ１〜ＰＨ８を選択する。
ＰＨ１：［Ｈ，Ｖ］＝［５０，９６］
ＰＨ２：［Ｈ，Ｖ］＝［３７９，９６］
ＰＨ３：［Ｈ，Ｖ］＝［４７９，９６］
ＰＨ４：［Ｈ，Ｖ］＝［７４１，９６］
ＰＨ５：［Ｈ，Ｖ］＝［５０，２４０］
ＰＨ６：［Ｈ，Ｖ］＝［３７９，２４０］
ＰＨ７：［Ｈ，Ｖ］＝［４７９，２４０］
ＰＨ８：［Ｈ，Ｖ］＝［７４１，２４０］
【００３４】
一方、入力画像がＳＤ画像である場合には、下記８つのサンプリングポイントＰＳ１〜ＰＳ８を選択する。なお、サンプリングポイントＰＳ１〜ＰＳ８とカラーバー画像内の各色領域との相対的な位置関係は、ＨＤ画像におけるサンプリングポイントＰＨ１〜ＰＨ８とカラーバー画像内の各色領域との相対的な位置関係と同じである。
ＰＳ１：［Ｈ，Ｖ］＝［１３８，９６］
ＰＳ２：［Ｈ，Ｖ］＝［３８４，９６］
ＰＳ３：［Ｈ，Ｖ］＝［４５９，９６］
ＰＳ４：［Ｈ，Ｖ］＝［６５３，９６］
ＰＳ５：［Ｈ，Ｖ］＝［１３８，２４０］
ＰＳ６：［Ｈ，Ｖ］＝［３８４，２４０］
ＰＳ７：［Ｈ，Ｖ］＝［４５９，２４０］
ＰＳ８：［Ｈ，Ｖ］＝［６５３，２４０］
【００３５】
上述のように、８つのサンプリングポイントを設定すると、各サンプリングポイントと色領域との関係は次のようになる。フルフィールドフォーマットのカラーバー画像では、図３（図６）に示すように、サンプリングポイントＰＨ１及びＰＨ５（ＰＳ１及びＰＳ５）は「Ｗ」領域（白領域）内の位置となり、ＰＨ２及びＰＨ６（ＰＳ２及びＰＳ６）は「Ｇ」領域（緑領域）内の位置になる。また、サンプリングポイントＰＨ３及びＰＨ７（ＰＳ３及びＰＳ７）は「Ｍ」領域（マゼンダ領域）内の位置となり、ＰＨ４及びＰＨ８（ＰＳ４及びＰＳ８）は「Ｂｌａ」領域（黒領域）内の位置となる。
【００３６】
また、マルチフォーマットのカラーバー信号では、図４に示すように、サンプリングポイントＰＨ１及びＰＨ５（ＰＳ１及びＰＳ５）は、「Ｙ」領域（黄領域）に隣接する「４０％ｇｒｅｙ」領域（４０％グレー領域）内の位置となる。サンプリングポイントＰＨ２及びＰＨ６（ＰＳ２及びＰＳ６）は「Ｇ」領域（緑領域）内の位置となり、ＰＨ３及びＰＨ７（ＰＳ３及びＰＳ７）は「Ｍ」領域（マゼンダ領域）内の位置となる。そして、サンプリングポイントＰＨ４及びＰＨ８（ＰＳ４及びＰＳ８）は、「Ｂｌｕ」領域（青領域）に隣接する「４０％ｇｒｅｙ」領域（４０％グレー領域）内の位置となる。
【００３７】
さらに、ＳＭＰＴＥフォーマットのカラーバー信号では、図５に示すように、サンプリングポイントＰＨ１及びＰＨ５（ＰＳ１及びＰＳ５）は、「Ｙ」領域（黄領域）に隣接する「７５％Ｗ」領域（７５％白領域）内の位置となる。また、サンプリングポイントＰＨ２及びＰＨ６（ＰＳ２及びＰＳ６）は「Ｇ」領域（緑領域）内の位置となり、ＰＨ３及びＰＨ７（ＰＳ３及びＰＳ７）は、「Ｒ」領域（赤領域）に隣接する「Ｍ」領域（マゼンダ領域）内の位置となる。そして、サンプリングポイントＰＨ４及びＰＨ８（ＰＳ４及びＰＳ８）は、「Ｒ」領域（赤領域）に隣接する「Ｂｌｕ」領域（青領域）内の位置となる。
【００３８】
上述のように、サンプリングポイントＰＨ１及びＰＨ５（ＰＳ１及びＰＳ５）、並びに、ＰＨ４及びＰＨ８（ＰＳ４及びＰＳ８）の色（ＲＧＢ値）は、上述した３種類のカラーバー信号間で互いに異なる。それゆえ、サンプリングポイントＰＨ１及びＰＨ５（ＰＳ１及びＰＳ５）、並びに／または、ＰＨ４及びＰＨ８（ＰＳ４及びＰＳ８）のＲＧＢ値（輝度レベル）の違いを判別することにより、カラーバー信号の種類を判別することができる。
【００３９】
また、サンプリングポイントＰＨ２及びＰＨ６（ＰＳ２及びＰＳ６）、並びに、ＰＨ３及びＰＨ７（ＰＳ２及びＰＳ６）の色（ＲＧＢ値）は、上述した３種類のカラーバー信号間で互いに同じである。これらのサンプリングポイントのデータは、主に、入力される映像信号がカラーバー信号であるか、それ以外の信号であるかを判定するために用いる。
【００４０】
また、図３〜６に示す例では、サンプリングポイントが配置されている各色領域には、２つのサンプリングポイントを配置しているが、これは、入力信号がカラーバー信号であるか否かの判別精度、及び、カラーバー信号の種類の判別精度を高めるためである。
【００４１】
なお、設定するサンプリングポイントの位置及び数等は、上述した例に限定されない。例えば表示画面１４ａのサイズ等により、表示画面１４ａ内の各サンプリングポイントの位置及び数は適宜変更される。
【００４２】
また、サンプリングポイントの位置及び数等は、入力信号がカラーバー信号であるか否かの判別、及び、カラーバー信号の種類の判別を可能にする最低限必要なサンプリングポイントであれば任意に構成することができる。例えば、一つのサンプリングポイントの画像データで上記２つの判別が可能であるような用途では、サンプリングポイントは１つだけ設ければよい。また、例えば、サンプリングポイントが配置されている各色領域に、サンプリングポイントを１つだけ配置するようにしてもよい。さらに、例えば、上記２つの判別精度をより向上させるために、同じ色領域に設けるサンプリングポイントの数を３つ以上としてもよい。
【００４３】
＜３．画像調整手法の一例＞
次に、本実施形態の画像表示装置１０における画像調整手法の一例を、図面を参照しながら説明する。なお、以下に説明する画像調整は、ビデオカメラ２０で実際に撮像を行う前に行ってもよいし、撮影中に適宜行ってもよい。
【００４４】
［表示画像の調整処理］
最初に、本実施形態における画像調整手法の全体的な流れを、図７を参照しながら説明する。なお、図７は、本実施形態の画像表示装置１０における画像調整処理の手順を示すフローチャートである。
【００４５】
まず、画像表示装置１０のＣＰＵ１５は、接続されたビデオカメラ２０から入力された画像信号の画角がＨＤ方式であるか、あるいは、ＳＤ方式であるかを判別する（ステップＳ１）。この判別処理は、ビデオカメラ２０から画像信号と一緒に入力される画角の識別信号に基づいて行われる。なお、入力画像の画角が予め決まっている場合には、ステップＳ１の処理を行わなくても良い。
【００４６】
次いで、ＣＰＵ１５は、入力された画像信号がカラーバー信号であるか否かを判別し、画像信号がカラーバー信号であった場合には、そのカラーバー信号の種類を判別する（ステップＳ２）。なお、入力画像信号がＨＤ方式である場合、ステップＳ２の判別処理は、上記図３〜５で説明した入力画像内の８つのサンプリングポイントＰＨ１〜ＰＨ８で得られる画像データに基づいて行う。また、入力画像信号がＳＤ方式である場合には、ステップＳ２の判別処理は、上記図６で説明した入力画像内の８つのサンプリングポイントＰＳ１〜ＰＳ８で得られる画像データに基づいて行う。ステップＳ２における判別処理については、後で詳述する。
【００４７】
入力された映像信号がカラーバー信号であり、その種類の判別がステップＳ２を完了した後、その判別結果に基づいて、ＣＰＵ１５は、ビデオデコーダ１１の例えばゲイン、オフセット等を増減して画像調整を行う（ステップＳ３）。
【００４８】
次いで、ＣＰＵ１５は、調整後の画像が適正画像であるか否かを判別する（ステップＳ４）。具体的には、まず、ＣＰＵ１５は、カラーバー画像から抽出された所定のサンプリングポイントの画像データと、記憶部１６に記憶された対応するサンプリングポイントの参照データとを比較する。この際、例えば、サンプリングポイントにおけるＲＧＢ値から得られる輝度レベルと対応する参照データから得られる参照レベルとを比較する。そして、両者の値の差が所定の閾値（公差）以下になれば、ＣＰＵ１５は、調整後の画像が適正画像であると判定する。
【００４９】
調整後の画像が適正画像で無い場合、ステップＳ４はＮＯ判定となり、調整後の画像が適正画像になるまで、上記ステップＳ３及びＳ４の処理を繰り返す。そして、調整後の画像が適正画像になれば（ステップＳ４がＹＥＳ判定となる場合）、上述した画像調整処理を終了する。本実施形態では、上述のようにしてカラーバー信号を用いて画像調整を行い、適正な信号レベルに補正された画像信号を表示パネル１４に表示する。
【００５０】
［カラーバー画像の種類の判別処理］
次に、上記ステップＳ２におけるカラーバー信号の判別処理の一例を、図８を参照しながら説明する。なお、図８は、カラーバー信号に対して行う一連の判別処理の手順を示すフローチャートである。
【００５１】
ただし、図８に示す例では、ＨＤ画像及びＳＤ画像に関係なく、５種類のカラーバー信号を判別する。具体的には、ここでは、輝度１００％のフルフィールドフォーマット、輝度７５％のフルフィールドフォーマット、輝度１００−７５％のフルフィールドフォーマット、マルチフォーマット及びＳＭＰＴＥフォーマットの５種類のカラーバー信号を判別する。なお、輝度１００−７５％のフルフィールドフォーマットのカラーバー信号は、白領域（図３及び６中の「Ｗ」領域）の輝度が１００％で、その他の色領域の輝度が７５％であるカラーバー信号である。なお、図８中の「ＦＦ」はフルフィールドフォーマットを略記したものであり、「ＣＢ」はカラーバー信号を略記したものである。
【００５２】
まず、画像表示装置１０の画像処理部１３は、入力された画像信号から上述した８つのサンプリングポイントにおける画像データ（以下、サンプリングデータという）を抽出し、そのサンプリングデータをＣＰＵ１５に出力する（ステップＳ１１）。
【００５３】
次いで、ＣＰＵ１５は、抽出されたサンプリングデータに基づいて、入力された信号がカラーバー信号であるか否かを判別する（ステップＳ１２）。この際、本実施形態では、ＣＰＵ１５は、８つのサンプリングポイントのうち、カラーバー信号の種類に関係なく同じ色領域に配置されたサンプリングポイントのサンプリングデータを用いて判別する。
【００５４】
具体的には、本実施形態では、サンプリングポイントＰＨ２及びＰＨ６（ＰＳ２及びＰＳ６）並びに／又はＰＨ３及びＰＨ７（ＰＳ３及びＰＳ７）において、次の条件（１）及び／又は（２）を満足する時に、入力画像信号がカラーバー信号であると判別する。なお、下記条件を判定する際には、抽出されたサンプリングデータ（ＲＧＢ値）またはそれより得られる輝度レベルを用いて判別する。
（１）サンプリングポイントＰＨ２及びＰＨ６（ＰＳ２及びＰＳ６）の色がともに「緑」であり、両サンプリングポイントのＲＧＢ値（または輝度レベル）が同じである。
（２）サンプリングポイントＰＨ３及びＰＨ７（ＰＳ３及びＰＳ７）の色がともに「マゼンダ」であり、両サンプリングポイントのＲＧＢ値（または輝度レベル）が同じである。
なお、ステップＳ１２における判別条件は上記例に限定されず、抽出されたサンプリングデータにより入力画像信号がカラーバー信号であるか否かを判別できる条件であれば、任意の条件を用いることができる。
【００５５】
入力画像信号がカラーバー信号でない場合、ステップＳ１２はＮＯ判定となる。この場合には、処理エラーとなり、ＣＰＵ１５は画像調整処理を終了する（ステップＳ１３）。
【００５６】
一方、入力画像信号がカラーバー信号である場合、ステップＳ１２はＹＥＳ判定となる。この場合には、再度、ステップＳ１２と同様にして、入力画像信号がカラーバー信号であるか否かを判別する（ステップＳ１４）。なお、この例では、入力画像信号がカラーバー信号であるか否かの判別精度を上げるために、この判別処理を２回行うが、本発明はこれに限定されず、この判別処理を１回で済ませてもよい。
【００５７】
ステップＳ１４において、入力画像信号がカラーバー信号でないと判定された際（ＮＯ判定の場合）には、処理エラーとなり、ＣＰＵ１５は画像調整処理を終了する（ステップＳ１５）。
【００５８】
一方、ステップＳ１４において、入力画像信号がカラーバー信号であると判定された場合、ステップＳ１４はＹＥＳ判定となる。この場合には、ＣＰＵ１５は、抽出されたサンプリングデータに基づいて、入力されたカラーバー信号がフルフィールドフォーマットのカラーバー信号であるか否かを判別する（ステップＳ１６）。この際、ＣＰＵ１５は、８つのサンプリングポイントのうち、フォーマットによって色の異なるサンプリングポイントのデータに基づいて、カラーバー信号の種類を判別する。
【００５９】
例えば、ＣＰＵ１５は、ステップＳ１４において、サンプリングポイントＰＨ４及び／又はＰＨ８（ＰＳ４及び／又はＰＳ８）の色を判別し、その色が「黒」であった場合には、カラーバー信号のフォーマットがフルフィールドフォーマットであると判定する。この際の判別処理では、例えば、サンプリングポイントで得られる輝度レベルが、所定の第１輝度レベルより低い場合に、そのサンプリングポイントの色が「黒」であると判定する。なお、ここでは、サンプリングポイントの色が「黒」であるか否かを判定するので、判定に用いる第１輝度レベルは比較的小さな値に設定される。
【００６０】
ここで、まず、ステップＳ１６において、入力されたカラーバー信号がフルフィールドフォーマットのカラーバー信号であると判定された場合、すなわち、ステップＳ１６がＹＥＳ判定となった場合の処理を説明する。この場合、ＣＰＵ１５は、入力されたカラーバー信号が輝度７５％のフルフィールドフォーマットのカラーバー信号であるか否かを判別する（ステップＳ１７）。
【００６１】
具体的には、ステップＳ１７において、ＣＰＵ１５は、サンプリングポイントＰＨ１及び／又はＰＨ５（ＰＳ１及び／又はＰＳ５）のサンプリングデータに基づいて上記ステップＳ１７の判別処理を行う。この際、例えば、ＣＰＵ１５は、該サンプリングポイントで得られる輝度レベルが所定の第２輝度レベルより低い場合には、カラーバー信号が輝度７５％のフルフィールドフォーマットのカラーバー信号であると判定する（ステップＳ１８）。なお、この判別で用いる第２輝度レベルは、輝度１００％と７５％との間の所定値（例えば中間値等）に設定される。
【００６２】
一方、ステップＳ１７において、入力されたカラーバー信号が輝度７５％のフルフィールドフォーマットのカラーバー信号でないと判定された場合には、ステップＳ１７はＮＯ判定となる。この場合には、ＣＰＵ１５は、入力されたカラーバー信号が輝度１００％のフルフィールドフォーマットのカラーバー信号であるか否かを判別する（ステップＳ１９）。
【００６３】
具体的には、ステップＳ１９において、ＣＰＵ１５は、サンプリングポイントＰＨ１及び／又はＰＨ５（ＰＳ１及び／又はＰＳ５）以外（白領域以外）のポイントのサンプリングデータに基づいて上記ステップＳ１９の判別処理を行う。この際、例えば、ＣＰＵ１５は、サンプリングポイントＰＨ２及び／又はＰＨ６（ＰＳ２及び／又はＰＳ６）で得られる緑色の輝度レベルに基づいて、上記ステップＳ１９の判別処理を行う。この場合、該サンプリングポイントで得られる緑色の輝度レベルが所定の第３輝度レベルより高ければ、ＣＰＵ１５は、入力されたカラーバー信号が輝度１００％のフルフィールドフォーマットのカラーバー信号であると判定する（ステップＳ２０）。なお、この判別で用いる第３輝度レベルは、緑色における輝度１００％と７５％との間の所定値（例えば中間値等）に設定される。
【００６４】
一方、ステップＳ１９において、入力されたカラーバー信号が輝度１００％のフルフィールドフォーマットのカラーバー信号でないと判定された場合には、ステップＳ１９はＮＯ判定となる。この場合には、ＣＰＵ１５は、入力されたカラーバー信号が輝度１００−７５％のフルフィールドフォーマットのカラーバー信号であると判定する（ステップＳ２１）。この例では、上述のようにして、輝度１００％、輝度７５％及びの輝度１００−７５％のフルフィールドフォーマットのカラーバー信号を識別する。
【００６５】
ここで、再度、ステップＳ１６に戻って、ステップＳ１６において、入力されたカラーバー信号がフルフィールドフォーマットのカラーバー信号でないと判定された場合、すなわち、ステップＳ１６がＮＯ判定となった場合の処理を説明する。この場合、ＣＰＵ１５は、入力されたカラーバー信号がＳＭＰＴＥフォーマットのカラーバー信号であるか否かを判別する（ステップＳ２２）。
【００６６】
この際、ＣＰＵ１５は、８つのサンプリングポイントのうち、フォーマットによって色の異なるサンプリングポイントのデータに基づいて、カラーバー信号の種類を判別する。具体的には、まず、ＣＰＵ１５は、ステップＳ２２において、サンプリングポイントＰＨ４及び／又はＰＨ８（ＰＳ４及び／又はＰＳ８）の色を判別する。そして、その色が「青」であった場合には、ＣＰＵ１５は、カラーバー信号のフォーマットがＳＭＰＴＥフォーマットであると判定する（ステップＳ２３）。この際の判別処理では、例えば、サンプリングポイントで得られる輝度レベルが、所定の第４輝度レベルより高い場合に、そのサンプリングポイントの色が「青」であると判定する。なお、この判別で用いる第４輝度レベルは、例えば、青色の輝度レベルと４０％グレーの輝度レベルの間の所定値（例えば中間値等）に設定される。
【００６７】
一方、ステップＳ２２において、入力されたカラーバー信号がＳＭＰＴＥフォーマットのカラーバー信号でないと判定された場合には、ステップＳ２２はＮＯ判定となる。この場合、ＣＰＵ１５は、入力されたカラーバー信号がマルチフォーマットのカラーバー信号であると判定する（ステップＳ２４）。この例では、このようにして、ＳＭＰＴＥフォーマットのカラーバー信号と、マルチフォーマットのカラーバー信号とを識別する。
【００６８】
なお、上述したカラーバー信号の判別処理で用いる例えば第１〜第４輝度レベル等の判別パラメータは記憶部１６に予め格納される。
【００６９】
本実施形態では、上述のようにして、カラーバー信号の判別処理を行う。ただし、本発明のカラーバー信号の判別手法は、図８に示す手順に限定されず、各種フォーマットを識別可能な手順であれば、任意の手順で行うことができる。例えば、上述した各種フォーマットの判別順序を適宜変更してもよい。
【００７０】
また、上記実施形態では、各サンプリングポイントの画像データ（輝度レベル）に基づいて、各種フォーマットの判別処理を行ったが、本発明はこれに限定されない。例えば、各サンプリングポイントの画像データと、記憶部１６に記憶された対応する参照データとを比較して各種フォーマットの判別処理を行ってもよい。
【００７１】
上述したように、本実施形態の画像表示装置１０では、ビデオカメラ２０から実際に入力されたカラーバー信号から所定のサンプリングポイントの画像データを抽出し、その抽出データに基づいてカラーバー信号の種類を判別する。そして、その判別結果に基づいて、入力画像の信号レベルを適正なレベルに補正する。さらに、本実施形態では、入力されるカラーバー信号がＳＤ方式であっても、ＨＤ方式であっても自動的に判別することができる。
【００７２】
すなわち、本実施形態によれば、カラーバー信号の種類及び画角に関係なく、カラーバー信号の種類を画像表示装置１０側で自動判別し、その判別結果に基づいて、入力画像の信号レベルを適切なレベルに補正することができる。また、これにより、本実施形態では、画像表示装置１０に表示される映像の輝度レベルを、ビデオカメラ２０から記憶装置３０に本線ケーブル２１を介して入力される映像の輝度レベルと同等にすることができる。
【００７３】
以上のことから、本実施形態では、ビデオカメラ２０で撮影する際の例えば映像の画角決定、フォーカス合わせの補助、ビデオカメラの各種設定の確認等の処理を、画像表示装置１０に表示された画像に基づいて精度良く行うことができる。その結果、本実施形態によれば、ビデオカメラ２０で撮像する映像の信頼性及び品質を向上させることができる。
【００７４】
また、画像表示装置１０が波形モニター(Wave Form Monitor)機能を有する場合には、波形レベルをより適切で且つ正確に表示することができる。さらに、本実施形態では、ビデオカメラ２０に内蔵されているカラーバー信号を用いて入力画像の信号レベルを調整するので、画像調整用の特別な信号を外部から入力する必要が無くなる。
【符号の説明】
【００７５】
１０…画像表示装置、１１…ビデオデコーダ、１２…スケーリング処理部、１３…画像処理部、１４…表示パネル、１４ａ…表示画面、１５…ＣＰＵ、１６…記憶部、ＰＨ１〜ＰＨ８，ＰＳ１〜ＰＳ８…サンプリングポイント
【図１】
2011223216.tif 000003
【図２】
2011223216.tif 000004
【図３】
2011223216.tif 000005
【図４】
2011223216.tif 000006
【図５】
2011223216.tif 000007
【図６】
2011223216.tif 000008
【図７】
2011223216.tif 000009
【図８】
2011223216.tif 000010